(57)【要約】【課題】個々の使用者Ｕに合わせて各部位の特性を細かく調節することにより、使用者Ｕの理想的な寝姿勢を保つことができる敷寝具１を提供する。【解決手段】敷寝具１を人体の部位に対応するように複数のブロックに分割して構成する。そして、複数の芯材が交換可能に重ねられて収容された中袋３０により各ブロックを形成することにより、これら各ブロックの硬さ等の特性を個々の使用者Ｕの体形等に合わせて細かく調節できるようにする。【選択図】図１
2015008871.tif 000002
【特許請求の範囲】
【請求項１】
寝姿勢にある人体の部位に対応して複数のブロックに分割された敷寝具であって、
外袋と、
前記外袋内に隙間なく配置され、前記複数のブロックを形成するための複数の中袋とを備え、
前記各中袋の内部には複数の芯材が重ねられて収容されており、
前記芯材の硬さ又は厚さの少なくとも一方の調節により前記ブロックの特性が人体の部位に対応するように構成されている
ことを特徴とする敷寝具。
【請求項２】
請求項１において、
前記各中袋における複数の芯材は、互いに硬さ又は厚さの少なくとも一方が異なる
ことを特徴とする敷寝具。
【請求項３】
請求項１において、
前記各中袋における複数の芯材は、互いに硬さ又は厚さの少なくとも一方が等しい
ことを特徴とする敷寝具。
【請求項４】
請求項１〜３のいずれか１項において、
前記複数の芯材は交換可能である
ことを特徴とする敷寝具。
【請求項５】
請求項１〜４のいずれか１項において、
表面にパッドが重ねられて使用される
ことを特徴とする敷寝具。
【発明の詳細な説明】
【技術分野】
【０００１】
本発明は、個々の使用者の理想的な寝姿勢を保つことができるように、各使用者の体形等に合わせて各部位の特性を細かく調節可能とした敷寝具に関するものである。
【背景技術】
【０００２】
従来より、側生地内に動物繊維や植物繊維等を充填して適度な硬さ、クッション性をもたせた敷寝具が知られている。このタイプの敷寝具では、一般に、硬さ等の特性はその全面に亘って均一である。一方、人体には肩や腰等の凹凸があるので、硬さ等が均一な敷寝具ではこれらの凹凸に良好に対応し切れず、使用者の体が部分的に過度に沈み込んでしまうか又は浮いてしまうかして、その理想的な寝姿勢を保つことが難しいという問題があった。
【０００３】
そこで、従来、例えば特許文献１に示されるように、左右の中央部と両側部とで特性を異ならせ、左右両側で横向きに寝たときの使用者の身体突出部に対応する部分を他の部分よりも軟らかくすることにより、使用者が横向きに寝る場合に適度な沈み込みを生じさせて良好な横向きの寝姿勢を保てるようにした敷寝具が提案されている。
【０００４】
しかし、特許文献１の敷寝具では、その左右の中央部、すなわち使用者が仰向けに寝るときに使用する部分は、踵に対応する箇所を除いて全体的に硬さが均一であるので、そこで寝る使用者の体が部分的に過度に沈み込んでしまう問題は解決されていない。また、同敷寝具は所定の型枠内に原料液を注入・硬化させて一体的に製造されるので、個々の使用者の体形等に合わせて各部位の特性を調節しようとしても、それができないという問題があった。
【０００５】
一方、例えば特許文献２に示されるように、複数の分割片により長さ方向に分割して構成された敷寝具であって、これら複数の分割片の内部にそれぞれ反発性の異なる軟質性素材を収容することにより、長さ方向に関して各部位の特性を異ならせた敷寝具が提案されている。かかる敷寝具によると、各分割片の配置を工夫することで、各部位の特性を個々の使用者の体形等に合わせて調節することができる。
【先行技術文献】
【特許文献】
【０００６】
【特許文献１】特開２００６−２９６４６１号公報
【特許文献２】特開２００４−０４９３５３号公報
【発明の概要】
【発明が解決しようとする課題】
【０００７】
ところが、特許文献２の敷寝具では、各部位の特性を個々の使用者の体形等に合わせて調節できるものの、１つの分割片の内部には１つの軟質性素材のみが収容されているので、分割片そのものの特性を細かく調節することは困難であり、前記の調節は大まかなものにならざると得ないという問題があった。
【０００８】
本発明は斯かる点に鑑みてなされたものであり、その目的は、敷寝具において、個々の使用者に合わせて各部位の特性を細かく調節できるようにし、使用者の理想的な寝姿勢を保てるようにすることにある。
【課題を解決するための手段】
【０００９】
前記の目的の達成のため、この発明では、敷寝具を寝姿勢にある人体の部位に対応するように多数のブロックに分割して構成すると共に、個々の使用者の体形等に応じて各ブロックの硬さ等を細かく調節できるようにした。
【００１０】
具体的には、請求項１の発明では、寝姿勢にある人体の部位に対応して複数のブロックに分割された敷寝具が対象である。
【００１１】
この敷寝具は、外袋と、
前記外袋内に隙間なく配置され、前記複数のブロックを形成するための複数の中袋とを備え、
前記各中袋の内部には複数の芯材が重ねられて収容されており、
前記芯材の硬さ又は厚さの少なくとも一方の調節により前記ブロックの特性が人体の部位に対応するように構成されていることを特徴とする。
【００１２】
前記の構成によると、寝姿勢にある人体の部位に対応して設けられた各ブロックの特性は、これら各ブロックを形成する中袋の内部に収容された複数の芯材の特性に依存する。すなわち、複数の芯材の硬さや厚さを変更すれば、これら芯材が収容された中袋の硬さ等が変わり、この中袋により形成されるブロックの硬さ等も同様に変わる。そして、各中袋には１つではなく複数の芯材が収容されているので、各々の芯材の硬さや厚さを調節することにより、各ブロックの硬さ等の特性を細かく調節することができる。このように、本発明に係る敷寝具では、体の各部位が適度に沈み込むか又は支えられるように、個々の使用者の体形等に合わせて各ブロックの特性を細かく調節することにより、使用者の理想的な寝姿勢を保つことができる。
【００１３】
請求項２の発明では、前記請求項１の発明において、前記各中袋における複数の芯材は、互いに硬さ又は厚さの少なくとも一方が異なることを特徴とする。
【００１４】
このことで、中袋に収容された芯材の種類が増え、それら芯材を重ねる順番の組合せの数も増えるので、使用者の体形や好みに合わせて各ブロックの特性をより細かく調節することが可能となる。
【００１５】
請求項３の発明では、前記請求項１の発明において、前記各中袋における複数の芯材は、互いに硬さ又は厚さの少なくとも一方が等しいことを特徴とする。
【００１６】
このことで、各ブロックを形成するために、ひいては敷寝具を形成するために必要となる芯材の種類が限定されて少なくて済むので、その生産コストを低減することができる。
【００１７】
請求項４の発明では、前記請求項１〜３の発明のいずれか１つにおいて、前記複数の芯材は交換可能であることを特徴とする。
【００１８】
このことで、中袋に収容されている芯材では各ブロックの望ましい特性が得られない場合にも、これらの芯材を所望の硬さや厚さを有する他の芯材に交換することにより、各ブロックの特性を任意に調節することが可能となる。また、長期使用等により芯材が劣化した場合に、この芯材のみを新しく交換することで同じ特性のブロックを持つ敷寝具を継続して使用できる。
【００１９】
請求項５の発明では、前記請求項１〜４の発明のいずれか１つにおいて、表面にパッドが重ねられて使用されることを特徴とする。
【００２０】
このことで、敷寝具における各ブロックの硬さ又は厚さ等の違いがダイレクトに体に伝わるのを防いで、寝心地を改善することができる。
【発明の効果】
【００２１】
以上説明したように、請求項１の発明によると、寝姿勢にある人体の部位に対応して複数のブロックに分割された敷寝具として、外袋と、この外袋内に隙間なく配置され、複数のブロックを形成するための複数の中袋とを設け、各中袋の内部には複数の芯材を重ねて収容し、芯材の硬さ又は厚さの少なくとも一方の調節によりブロックの特性が人体の部位に対応するように構成したので、個々の使用者の体形等に合わせて各ブロックの特性を細かく調節することにより、使用者の理想的な寝姿勢を保つことができる。
【００２２】
請求項２の発明によると、各中袋における複数の芯材を、互いに硬さ又は厚さの少なくとも一方が異なるものとしたことにより、各ブロックの特性をより細かく調節することが可能となる。
【００２３】
請求項３の発明によると、各中袋における複数の芯材を、互いに硬さ又は厚さの少なくとも一方が等しいものとしたことにより、敷寝具の生産コストを低減することができる。
【００２４】
請求項４の発明によると、複数の芯材を交換可能としたことにより、各ブロックの特性を任意に調節することが可能となる。また、劣化した芯材のみを新しく交換することで同じ特性のブロックを持つ敷寝具を継続して使用できる。
【００２５】
請求項５の発明によると、表面にパッドを重ねて使用することにより、寝心地を改善することができる。
【図面の簡単な説明】
【００２６】
【図１】図１は、本発明の実施形態に係る敷寝具の平面図である。
【図２】図２は、折り畳み途中の状態にある敷寝具及び中袋を示す斜視図である。
【図３】図３は、中袋及びこれに収容される芯材を示す斜視図である。
【図４】図４は、各種芯材を示す側面図である。
【図５】図５は、芯材の収容パターンを示す側面図である。
【図６】図６は、別の芯材の収容パターンを示す側面図である。
【図７】図７は、敷寝具の使用態様を示す側面図である。
【図８】図８は、別の実施形態に係る敷寝具のブロック分割態様を示す図１相当図である。
【図９】図９は、各種芯材の組合せに係る圧縮特性の測定結果を示す図である。
【発明を実施するための形態】
【００２７】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２８】
図１は、本発明の実施形態に係る敷寝具１を示す。なお、この実施形態では、敷寝具１に寝る使用者Ｕの頭側を「上」とし、足側を「下」とする。この敷寝具１は、例えば縦２１０ｃｍ、横１００ｃｍ、厚さ８ｃｍの薄型の直方体形状を有しており、表側に寝る使用者Ｕの上半身を支えるための上半身部２と、この上半身部２の下側に隣接し、腰部等を支えるための中間部３と、この中間部３の下側に隣接し、主に脚部を支えるための下半身部４とに分割されている。これら上半身部２、中間部３及び下半身部４は例えば全て同じ大きさ（敷寝具１全体の１／３の大きさ）の直方体形状のものである。
【００２９】
上半身部２、中間部３及び下半身部４はいずれもそれぞれと同形状、すなわち敷寝具１全体の１／３の大きさの直方体形状の外袋５を有する。これら３つの外袋５，５，…は、後述するように互いに連結されて敷寝具１の外形部分を形成するものである。
【００３０】
各外袋５の表側面（図２の左斜め上側面であって使用者Ｕに近い面）においてその四周の辺部には、それぞれ所定の一辺を残して他の三辺に亘り連続する切り込み６が設けられている。具体的に、上半身部２の外袋５の表側面の周縁には、上側の一辺を残して切り込み６が設けられている。中間部３の外袋５の表側面の周縁には、下側の一辺を残して切り込み６が設けられている。下半身部４の外袋５の表側面の周縁には、上側の一辺を残して切り込み６が設けられている。各切り込み６はファスナー７によって開閉されるようになっている。そして、このファスナー７を開くことで、後述する中袋３０を外袋５の内部に配置し又は取り出すようにしている。なお、外袋５の素材としては、通気性及び耐久性が良好な綿１００％の厚手の生地を使用することが好ましい。
【００３１】
前記の３つの外袋５，５，…の内部には、それぞれ少なくとも１つの中袋３０が隙間なく配置されて収容されている。
【００３２】
具体的には、上半身部２の外袋５内部には、例えば４つの中袋３０，３０，…が隙間なく配置されている。すなわち、図２に示すように、この外袋５の上側半部には、例えば縦３５ｃｍ、横１００ｃｍ、厚さ８ｃｍの直方体形状の中袋３０が配置され、下側半部の左右中央には、例えば縦３５ｃｍ、横３０ｃｍ、厚さ８ｃｍの直方体形状の中袋３０が配置され、その左右両隣には、例えば縦３５ｃｍ、横３５ｃｍ、厚さ８ｃｍの直方体形状の２つの中袋３０，３０がそれぞれ配置されている。そして、これら４つの中袋３０，３０，…は互いに厚さ方向には重なっておらず、その外面はそれぞれ他の中袋３０の外面又は外袋５の内面と接している。
【００３３】
中間部３の外袋５内部には、例えば４つの中袋３０，３０，…が隙間なく配置されている。すなわち、この外袋５の上端部には、例えば縦２３ｃｍ、横１００ｃｍ、厚さ８ｃｍの長細い直方体形状の中袋３０が配置され、残り下部の左右中央及びその左右両端には、例えば縦４７ｃｍ、横３３．３ｃｍ、厚さ８ｃｍの直方体形状の中袋３０，３０，…が配置されている。そして、これら４つの中袋３０，３０，…は互いに厚さ方向には重なっておらず、その外面はそれぞれ他の中袋３０の外面又は外袋５の内面と接している。
【００３４】
下半身部４の外袋５内部には、例えば１つの中袋３０が隙間なく配置されている。すなわち、この外袋５の内部には、これと同形状の例えば縦７０ｃｍ、横１００ｃｍ、厚さ８ｃｍの扁平な直方体形状の中袋３０が配置されており、その外面は外袋５の内面と接している。
【００３５】
各中袋３０における周囲側面（上下側面及び左右側面）の１つには、図２及び図３に示すように、その厚み方向のほぼ中央を上下に分離する切り込み３１が一端から他端に亘って設けられ、この切り込み３１はファスナー３２によって開閉される。そして、このファスナー３２を開くことで、後述する芯材を中袋３０の内部に収容し又は取り出すようにしている。なお、中袋３０の素材としては、通気性が良好でごわつき感がなく軽い、綿１００％の目が詰まっていない生地を使用することが好ましい。
【００３６】
前記各中袋３０の内部にはそれぞれ複数の芯材が重ねられて収容されている。これらの芯材は、例えば第１芯材４０、第２芯材４１又は第３芯材４２の中から複数選択されて組み合わされる（下半身部４の中袋３０を除く）。ここで、各芯材４０〜４２について説明すると、第１芯材４０は図４（ａ）に示すように、例えば厚さ２ｃｍの比較的軟らかい板状部材であり、第２芯材４１は図４（ｂ）に示すように、例えば厚さ３．５ｃｍの中間的な硬さの板状部材であり、そして第３芯材４２は図４（ｃ）に示すように、例えば厚さ４ｃｍの比較的硬い板状部材である。そして、各中袋３０に収容されるために組み合わされる複数の芯材は、種類が異なるために互いに硬さ及び厚さが異なる場合と、種類が同じであるために互いに硬さ及び厚さが等しい場合とがある。
【００３７】
具体的には、前記上半身部２の上側半部に配置された中袋３０の内部には、図５（ａ）に示すように、この中袋３０と平面視で同形状の例えば３枚の第１芯材４０，４０，…が敷寝具１の裏側から表側に向かって重ねられて収容されている。また、上半身部２の下側半部の左右中央に配置された中袋３０の内部には、図５（ｂ）に示すように、この中袋３０と平面視で同形状の例えば第２芯材４１、第１芯材４０及び第２芯材４１の３枚の芯材がそれぞれ記載順に敷寝具１の裏側から表側に向かって重ねられて収容されている。そして、上半身部２の下側半部の左右両側に配置された中袋３０，３０のそれぞれの内部には、この中袋３０と平面視で同形状の例えば第１芯材４０、第２芯材４１及び第１芯材４０の３枚の芯材がそれぞれ記載順に敷寝具１の裏側から表側に向かって重ねられて収容されている。
【００３８】
前記中間部３の上端部に配置された中袋３０の内部には、図５（ｃ）に示すように、この中袋３０と平面視で同形状の例えば第２芯材４１、第２芯材４１、第１芯材４０及び第１芯材４０の４枚の芯材がそれぞれ記載順に敷寝具１の裏側から表側に向かって重ねられて収容されている。また、中間部３の下部の左右中央に配置された中袋３０の内部には、図５（ｄ）に示すように、この中袋３０と平面視で同形状の例えば２枚の第３芯材４２，４２が敷寝具１の裏側から表側に向かって重ねられて収容されている。そして、中間部３の下部の左右両側に配置された中袋３０，３０のそれぞれの内部には、この中袋３０と平面視で同形状の例えば第３芯材４２及び第２芯材４１の２枚の芯材がそれぞれ記載順に敷寝具１の裏側から表側に向かって重ねられて収容されている。
【００３９】
前記下半身部４に配置された中袋３０の内部には、この中袋３０と同形状の例えば２枚の第２芯材４１，４１が敷寝具１の裏側から表側に向かって重ねられて収容されている。
【００４０】
なお、これらの芯材は任意の硬さ及び厚さを有する他の芯材と交換可能である。また、これらの芯材（下半身部４のものを除く）の素材としては、耐久性、通気性及びクッション性に優れる東洋紡績株式会社製の商品名ブレスエアー（登録商標）を使用することが好ましい。この素材は樹脂繊維がループ状にランダムに絡み合った構造を有するもので、水により容易に洗浄することができるので、同素材の使用により衛生面に優れた敷寝具１を提供することができる。
【００４１】
図２に示すように、前記上半身部２の外袋５と前記中間部３の外袋５とは、各々の裏側面（図２の右斜め下側面であって床と接する面）の隅角部において上側連結部８により水平左右方向の軸心回りに折り曲げ可能に連結されている。つまり、上半身部２と中間部３とは、各々の裏側面が互いに接して重なるように折畳可能である。
【００４２】
また、前記中間部３の外袋５と前記下半身部４の外袋５とは、各々の表側面（図２の左斜め上側面であって使用者Ｕに近い面）の隅角部において下側連結部９により水平左右方向の軸心回りに折り曲げ可能に連結されている。つまり、中間部３と下半身部４とは、各々の表側面が互いに接して重なるように折畳可能である。
【００４３】
以上により、敷寝具１は、裏側面及び表側面にそれぞれ設けられた２つの連結部８，９により、上半身部２、中間部３及び下半身部４がこの順に重なった状態で三つ折りにできるように構成されている。
【００４４】
敷寝具１は、上述のように各外袋５内に隙間なく配置されて、それぞれ内部に複数の芯材が収容された複数の中袋３０，３０，…により、寝姿勢にある人体の部位に対応して複数のブロックに分割されている。
【００４５】
具体的には、上半身部２の上側半部に配置された中袋３０により、平面視で横長の長方形の頭受け部２０が形成され、下側半部に配置された３つの中袋３０，３０，…により、平面視でほぼ正方形の右側肩受け部２１、中央肩受け部２２及び左側肩受け部２３が形成されている。頭受け部２０は仰向け又は横向きに寝る使用者Ｕの頭部を支え、中央肩受け部２２は仰向けに寝る使用者Ｕの肩部を支え、そして右側及び左側肩受け部２１，２３はそれぞれ横向きに寝る使用者Ｕの肩部を支える。
【００４６】
また、中間部３の上端部に配置された中袋３０により、平面視で横長の長方形の腰受け部２４が形成され、残り下部に配置された３つの中袋３０，３０，…により、平面視でやや縦長の長方形の右側臀受け部２５、中央臀受け部２６及び左側臀受け部２７が形成されている。腰受け部２４は仰向け又は横向きに寝る使用者Ｕの腰部を支え、中央臀受け部２６は仰向けに寝る使用者Ｕの臀部を支え、そして右側及び左側臀受け部２５，２７はそれぞれ横向きに寝る使用者Ｕの臀部を支える。
【００４７】
そして、下半身部４に配置された中袋３０により、この下半身部４と平面視で同形状の脚受け部２８が形成されている。この脚受け部２８は仰向け又は横向きに寝る使用者Ｕの脚部を支える。以上の頭受け部２０、右側肩受け部２１、中央肩受け部２２、左側肩受け部２３、腰受け部２４、右側臀受け部２５、中央臀受け部２６、左側臀受け部２７及び脚受け部２８はいずれも本発明でいうブロックを構成している。
【００４８】
さらに、敷寝具１は、前記芯材の硬さ又は厚さの少なくとも一方の調節により前記ブロックの特性が使用者Ｕの人体の部位に対応するように構成されている。
【００４９】
具体的には、芯材の硬さは、図６に示すように、その内部でループ状にランダムに絡み合っている樹脂繊維の密度を変更することにより調節可能である。すなわち、樹脂繊維の密度を高くすれば芯材は硬くなり、その逆に密度を低くすれば軟らかくなる。芯材の密度（硬さ）及び厚さはその製造段階で決定されるので、実際には、所望の硬さ及び厚さを有する芯材を選択して各中袋３０の内部に収容することで、各中袋３０により形成される各ブロックの特性を人体の部位に対応させる。
【００５０】
また、各ブロックの特性を人体の部位に対応させる際には、各芯材の硬さや厚さのみならず、これら各芯材を重ねる順番についても考慮する必要がある。芯材を重ねる順番の違いは、主に使用者Ｕが感じる寝心地に影響するためである。
【００５１】
例として、硬さ及び厚さが等しい２枚の第１芯材４０，４０と、これよりも硬くかつ厚い１枚の第３芯材４２との計３枚の芯材４０，４０，４２を中袋３０の内部に収容する場合について説明する。この場合、図６（ａ）〜（ｃ）に示すように、第３芯材４２を表面側、中央、裏面側のいずれの位置に配置するかによって３通りの重ね方が存在する。図６（ａ）のように裏面側（一番下）に第３芯材４２を配置した場合には、体に近い表側半部が比較的軟らかい２枚の第１芯材４０，４０で構成されるので、その上に寝た使用者Ｕは比較的軟らかい寝心地を感じる。また、図６（ｂ）のように表裏中央に第３芯材４２を配置した場合には、第１芯材４０よりも硬い第３芯材４２が、図６（ａ）の場合に比べて体に近い部分に位置するので、使用者Ｕが感じる寝心地はやや硬めのものになる。そして、図６（ｃ）のように表面側（一番上）に第３芯材４２を重ねた場合には、体に近い表側半部が比較的硬い第３芯材４２で構成されるので、その上に寝た使用者Ｕは比較的硬い寝心地を感じる。
【００５２】
（各ブロックの特性の調節方法）
各ブロックの特性の調節方法について説明する。
【００５３】
かかる調節は、使用者Ｕの身長等に応じて予め策定された標準的な芯材の組合せ（例えば、上述の芯材の組合せは、日本人の一般的な成人男性を想定した標準的なものである）を有する敷寝具１を基に、その上に仰向け又は横向きに寝た使用者Ｕの寝姿勢及び反応に基づいて行う。
【００５４】
具体的には、まず、使用者Ｕが敷寝具１上の左右中央に仰向けに寝た状態で、中央肩受け部２２の硬さ等の調節を行う。この中央肩受け部２２は背筋部分を支える役割を担っており、脊髄へのストレスにも関係する部位である。その硬さ等を調節するときの基準は、隣接する右側及び左側肩受け部２１，２３との関係において、使用者Ｕの肩甲骨が広がる状態を作ることである。かかる基準を満たすように、かつ使用者Ｕが心地よい寝心地を感じられるように、中央肩受け部２２を形成する中袋３０の内部に収容する芯材の種類及びそれらを重ねる順番を適宜選択する。
【００５５】
次に、使用者Ｕが敷寝具１上の左右両側に横向きに寝た状態で、右側及び左側肩受け部２１，２３の硬さ等の調節を行う。この調節をするときの基準は、使用者Ｕの背骨が仙骨から第一頸椎までまっすぐ伸びるように肩が沈み込む状態を作ることである。かかる基準を満たすように、かつ使用者Ｕが心地よい寝心地を感じられるように、右側及び左側肩受け部２１，２３を形成する中袋３０，３０の内部に収容する芯材の種類及びそれらを重ねる順番を適宜選択する。このとき、使用者Ｕに対して、肩や肩甲骨への圧迫感や違和感がないかを併せて確認する。
【００５６】
続いて、使用者Ｕが敷寝具１上の左右中央に仰向けに寝た状態で、腰受け部２４の硬さ等の調節を行う。この腰受け部２４は背骨を支える部位であり、その硬さ等を調節するときの基準は、使用者Ｕの腰部が過度に沈み込まずに体の自然なＳ字カーブが保たれることである。ここで、自然なＳ字カーブとは、図７に示すように、使用者Ｕが横から見て立っている時と同じように寝ている姿勢をいう。かかる基準を満たすように、かつ使用者Ｕが心地よい寝心地を感じられるように、腰受け部２４を形成する中袋３０の内部に収容する芯材の種類及びそれらを重ねる順番を適宜選択する。
【００５７】
次に、使用者Ｕが敷寝具１上の左右中央に仰向けに寝た状態で、中央臀受け部２６の硬さ等の調節を行う。この中央臀受け部２６は骨盤を支える部位であり、その硬さ等を調節するときの基準は、使用者Ｕの臀部が過度に沈み込まない硬さであると共に、右側及び左側臀受け部２５，２７との関係において、骨盤が平面視で逆ハの字に開いた状態を作ることである。かかる基準を満たすように、かつ使用者Ｕが心地よい寝心地を感じられるように、中央臀受け部２６を形成する中袋３０の内部に収容する芯材の種類及びそれらを重ねる順番を適宜選択する。
【００５８】
続いて、使用者Ｕが敷寝具１上の左右両側に横向きに寝た状態で、右側及び左側臀受け部２５，２７の硬さ等の調節を行う。この調節をするときの基準は、使用者Ｕの体がまっすぐ伸びるように左右の肩及び腰の沈み込みとのバランスを取ることである。かかる基準を満たすように、かつ使用者Ｕが心地よい寝心地を感じられるように、右側及び左側臀受け部２５，２７を形成する中袋３０，３０の内部に収容する芯材の種類及びそれらを重ねる順番を適宜選択する。
【００５９】
次に、使用者Ｕが敷寝具１上の左右中央に仰向けに寝た状態で、頭受け部２０の硬さ等の調節を行う。この頭受け部２０は使用者Ｕの頸椎や頭部を支える部位であり、その硬さ等を調節するときの基準は、中央肩受け部２２との関係において、使用者Ｕの首が横から見て過度に屈曲又は伸張しておらず、立っている時と同程度の姿勢をとることである。かかる基準を満たすように、かつ使用者Ｕが心地よい寝心地を感じられるように、頭受け部２０を形成する中袋３０の内部に収容する芯材の種類及びそれらを重ねる順番を適宜選択する。
【００６０】
脚受け部２８については、上述のような調節は不要である。なお、必要であれば、例えば対応する芯材の種類を変更することにより、脚受け部２８の硬さ等の調節を行ってもよい。
【００６１】
以上で、敷寝具１の上に使用者Ｕが直接横になった状態での各ブロックの特性の調節を完了する。そして、かかる調節に続いて、頭受け部２０上に枕５１を載置し、この枕５１により使用者Ｕの頭部を支えた状態で各ブロックの特性の微調整を行う。なお、この枕５１としては、仰向けに寝た使用者Ｕの首及び頭受け部２０間の隙間を埋め、かつ顔がまっすぐ正面（室内の天井側）を向くか又はそれから５°程度顎を引く状態となるように高さが調節されたものを使用する。
【００６２】
そして最後に、使用者Ｕの好みや寝心地等に合わせて、敷寝具１上に重ねて使用するためのパッド５０（図７参照）の素材及び厚みを選択する。
【００６３】
これらの一連の調節により、個々の使用者Ｕごとの体形等のわずかな差異にも細やかに対応した敷寝具１を提供することができる。
【００６４】
（敷寝具の使用態様）
敷寝具１の使用態様について説明する。
【００６５】
図７に示すように、本実施形態に係る敷寝具１は、その上に使用者Ｕが直接横になるものではなく、この敷寝具１の表面に例えばウール綿で構成されたパッド５０を重ねた状態で使用する。仮に敷寝具１の上に使用者Ｕが直接横になると、敷寝具１における各ブロックの硬さや厚さ等の違いがダイレクトに体に伝わって却って寝心地が悪くなってしまうためである。つまり、使用者Ｕの重みを面で受けられるパッド５０を設けることで寝心地を改善しているのである。また、パッド５０上における頭部に対応する位置には、頭部を支えるための枕５１を載置して使用する。
【００６６】
敷寝具１及びパッド５０の上に使用者Ｕが仰向けに寝るときには、その全身をパッド５０が支え、かつその下で敷寝具１の左右中央部が体の各部を支える。具体的には、頭受け部２０が頭部を支え、中央肩受け部２２が肩部を支え、腰受け部２４が腰部を支え、中央臀受け部２６が臀部を支え、そして脚受け部２８が脚部を支える。このとき、敷寝具１の各ブロックの特性は使用者Ｕの体形等に合わせて調節されているので、各ブロックはそれぞれ適度に沈み込み、仰向けの状態にある使用者Ｕはその体が側面視で自然なＳ字カーブを描く理想的な寝姿勢をとる。
【００６７】
一方、敷寝具１及びパッド５０の上に使用者Ｕが横向きに寝るときには、その全身をパッド５０が支え、かつその下で敷寝具１の右側部又は左側部が体の各部を支える。具体的には、頭受け部２０が頭部を支え、右側又は左側肩受け部２１，２３が肩部を支え、腰受け部２４が腰部を支え、右側又は左側臀受け部２５，２７が臀部を支え、そして脚受け部２８が脚部を支える。このとき、敷寝具１の各ブロックの特性は使用者Ｕの体形等に合わせて調節されているので、各ブロックはそれぞれ適度に沈み込み、横向きの状態にある使用者Ｕはその体の中心がまっすぐに伸びた理想的な寝姿勢をとる。
【００６８】
（実施形態の作用効果）
したがって、この実施形態では、人体の部位に対応して敷寝具１に設けられた各ブロックがそれぞれ人体の凹凸に対応して適度に沈み込むので、使用者Ｕの理想的な寝姿勢を保つことができる。
【００６９】
また、敷寝具１の各ブロック（頭受け部２０、右側肩受け部２１、中央肩受け部２２、左側肩受け部２３、腰受け部２４、右側臀受け部２５、中央臀受け部２６、左側臀受け部２７及び脚受け部２８）を形成するための複数の中袋３０，３０，…には、それぞれ所定の硬さ及び厚さを有する複数の芯材が重ねられて収容されている。そして、個々の使用者Ｕの体形や好みに合わせてこれら複数の芯材の各々の硬さ等を調節することにより、具体的には所定の硬さ及び厚さを有する芯材を選択して各中袋３０の内部に収容することにより、各ブロックの特性を細かく調節することができる。また、個々の使用者Ｕが敷寝具１上に仰向け又は横向きに寝た状態で、その体形等に合わせて各ブロックの特性を細かく調節することにより、使用者Ｕの理想的な寝姿勢を保つことができる敷寝具１を提供することができる。
【００７０】
さらに、各中袋３０の内部に収容された複数の芯材を、部分的に、互いに硬さ及び厚さの双方が異なるようにすれば、同じ特性の芯材のみを用いた場合に比べて、芯材を重ねる順番の組合せが豊富になり、使用者Ｕの体形や好みに合わせて各ブロックの特性をより細かく調節することが可能となる。
【００７１】
また、各中袋３０の内部に収容された複数の芯材を、部分的に、互いに硬さ及び厚さの双方が等しくなるようにすると、各ブロックを構成するため、ひいては敷寝具１を構成するために必要とされる芯材の種類が限定されて少なくて済むので、その生産コストを低減することができる。
【００７２】
さらに、各中袋３０の内部に収容された複数の芯材は交換可能であるので、中袋３０に収容されている芯材を重ねる順番の変更のみでは望ましい特性が得られない場合にも、これらの芯材を所望の硬さ及び厚さを有する他の芯材と交換することにより、各ブロックの特性を任意に調節することが可能となる。また、長期使用等により芯材が劣化した場合に、この芯材のみを新しく交換することにより同じ特性のブロックを持つ敷寝具１を継続して使用できる。
【００７３】
（その他の実施形態）
前記実施形態では、敷寝具１を９つのブロックに分割しているが、これに限らず、例えば、図８に示すように、腰受け部２４を３つの腰受け部２４ａ，２４ｂ，２４ｃに分割することで敷寝具１を１１個のブロックに分割してもよく、さらには他の複数のブロックに分割することもできる。
【００７４】
また、前記実施形態では、敷寝具１及び各ブロックの寸法を例示しているが、これに限らず、敷寝具１及び各ブロックの寸法を任意に変更してもよい。
【００７５】
さらに、前記実施形態では、芯材の硬さ及び厚さを例示しているが、これに限らず、その他の任意の硬さ及び厚さを有する芯材を使用してもよい。
【００７６】
また、前記実施形態では、芯材として東洋紡績株式会社製のブレスエアー（登録商標）を使用しているが、これに限らず、例えば、ウレタン製の芯材を使用してもよい。
【００７７】
さらに、前記実施形態では、各中袋３０の内部には２〜４枚の芯材を収容しているが、これに限らず、５枚以上の芯材を収容してもよい。
【００７８】
また、前記実施形態では、敷寝具１は上半身部２、中間部３及び下半身部４それぞれに対応する３つの外袋５，５，…を有するが、これに限らず、例えば、敷寝具１全体に対応する１つの外袋５を設けてもよい。
【実施例】
【００７９】
次に、具体的に実施した実施例について説明する。敷寝具１の構成は、前記実施形態の構成と同じである（図１〜図５参照）。
【００８０】
本実施例で使用する芯材の組合せの各々について、圧縮特性を測定した。ここでは、圧縮特性を、重ねられた芯材を無負荷時の厚みから４０％圧縮したときの圧縮応力（単位：ｋＰａ）として規定している。測定結果を図９に示す。同図中において、Ａは第１芯材４０を、Ｂは第２芯材４１を、Ｃは第３芯材４２をそれぞれ表している。また、「芯材の組合せ」欄の左側に記載されている記号は、表側に重ねられた芯材を、また右側に記載されている記号は、裏側に重ねられた芯材をそれぞれ表している（例：「Ａ・Ａ・Ｂ・Ｂ」の記載は、第２芯材４１、第２芯材４１、第１芯材４０及び第１芯材４０の４枚の芯材が、それぞれ記載順に裏側から表側に向かって重ねられていることを意味する）。なお、測定方法は、ＪＩＳ  Ｋ６４００−２：２００４に準じている。
【００８１】
中央臀受け部２６については、人体において最も大きな重量を有する骨盤を支える必要があり、最も硬く沈み込みにくい組合せとするために、２枚の第３芯材４２，４２（圧縮特性：９．５）を敷寝具１の裏側から表側に向かって重ねて中袋３０に収容した。
【００８２】
腰受け部２４にあっては、Ｓ字カーブの反りが最もきつく敷寝具１との隙間が生じやすく、かつ大きな重量を有する腰部を支える必要があり、若干厚みをもたせつつしっかりと支えるために必要とされる組合せとするために、第２芯材４１、第２芯材４１、第１芯材４０及び第１芯材４０の４枚の芯材（圧縮特性：６．２）を、それぞれ記載順に敷寝具１の裏側から表側に向かって重ねて中袋３０に収容した。
【００８３】
中央肩受け部２２は、腰部と比べて重量の小さい肩甲骨を支える適度な硬さの組合せとするために、第２芯材４１、第１芯材４０及び第２芯材４１の３枚の芯材（圧縮特性：５．６）を、それぞれ記載順に敷寝具１の裏側から表側に向かって重ねて中袋３０に収容した。
【００８４】
脚受け部２８は、比較的小さな重量を有する脚部を支えることから、柔らかめの組合せとするために、２枚の第２芯材４１，４１（圧縮特性：４．８）を敷寝具１の裏側から表側に向かって重ねて中袋３０に収容した。
【００８５】
頭受け部２０は、人体において最も小さな重量を有する頭部を支えることから、脚受け部２８よりもさらに柔らかめの組合せとするために、３枚の第１芯材４０，４０，…（圧縮特性：４．４）を敷寝具１の裏側から表側に向かって重ねて中袋３０に収容した。
【００８６】
右側及び左側肩受け部２１，２３は、中央肩受け部２２と比べて柔らかく肩が沈み込みやすい硬さ及び厚さを有する組合せとするために、第１芯材４０、第２芯材４１及び第１芯材４０の３枚の芯材（圧縮特性：５．０）を、それぞれ記載順に敷寝具１の裏側から表側に向かって重ねて中袋３０に収容した。
【００８７】
右側及び左側臀受け部２５，２７は、中央臀受け部２６と比べて骨盤を柔らかく支えるための硬さ及び厚さを有する組合せとするために、第３芯材４２及び第２芯材４１の２枚の芯材（圧縮特性：７．７）を、それぞれ記載順に敷寝具１の裏側から表側に向かって重ねて中袋３０に収容した。
【００８８】
上述の構成とすることにより、使用者Ｕの理想的な寝姿勢を保つ上で最適な敷寝具１を提供することができた。
【符号の説明】
【００８９】
１                    敷寝具
２                    上半身部
３                    中間部
４                    下半身部
５                    外袋
２０                  頭受け部（ブロック）
２１〜２３            肩受け部（ブロック）
２４，２４ａ〜２４ｃ  腰受け部（ブロック）
２５〜２７            臀受け部（ブロック）
２８                  脚受け部（ブロック）
３０                  中袋
４０                  第１芯材
４１                  第２芯材
４２                  第３芯材
５０                  パッド
５１                  枕
Ｕ                    使用者
【図１】
2015008871.tif 000003
【図２】
2015008871.tif 000004
【図３】
2015008871.tif 000005
【図４】
2015008871.tif 000006
【図５】
2015008871.tif 000007
【図６】
2015008871.tif 000008
【図７】
2015008871.tif 000009
【図８】
2015008871.tif 000010
【図９】
2015008871.tif 000011